(57)【要約】【課題】背中全体において高いストレッチ効果が得られる座椅子を提供する。【解決手段】本考案に係る座椅子１は、ベースフレーム４に対する下部フレーム５ａの傾斜角θ１を複数の段階に調整可能とするラチェット機構を有する第１ジョイント部６と、下部フレーム５ａに対する上部フレーム５ｂの傾斜角θ２が実質的に０°となるように付勢するトーションバネを有する第２ジョイント部７とを備え、背もたれフレーム５に対して位置ずれしないように設けられた背面クッション内には、当該背面クッションを構成するクッション材よりも高い弾性を有する長尺押圧部材９が、着座した使用者の背骨に沿うように配置されている。【選択図】図３
0003177783.tif 000002
【実用新案登録請求の範囲】
【請求項１】
ベースフレームと、背もたれフレームを構成する下部フレームおよび上部フレームと、前記ベースフレームと前記下部フレームの下端とを連結する第１ジョイント部と、前記下部フレームの上端と前記上部フレームの下端とを連結する第２ジョイント部と、前記背もたれフレームに対して位置ずれしないように設けられた背面クッションとを備えた座椅子であって、
前記第１ジョイント部は、前記ベースフレームに対する前記下部フレームの傾斜角を複数の段階に調整可能とするラチェット機構を有し、
前記第２ジョイント部は、前記下部フレームに対する前記上部フレームの傾斜角が実質的に０°となるように付勢するトーションバネを有し、
前記背面クッション内に、当該背面クッションを構成するクッション材よりも高い弾性を有する長尺押圧部材が、着座した使用者の背骨に沿うように配置されていることを特徴とする座椅子。
【考案の詳細な説明】
【技術分野】
【０００１】
本考案は、角度調整可能な背もたれ部を有する座椅子に関する。
【背景技術】
【０００２】
従来の座椅子としては、例えば特許文献１に記載のものが知られている。この従来の座椅子は、ベースに対して角度調整可能に取り付けられた腰当て部材と、腰当て部材に回動可能に取り付けられた背当て部材と、背当て部材と腰当て部材とがほぼ平行になるように背当て部材を常時付勢する付勢部材とを備えている。この座椅子によれば、座椅子に座ったままの状態で背筋のストレッチ運動を行うことができる。
【先行技術文献】
【特許文献】
【０００３】
【特許文献１】特開平９−５１８３０号公報
【考案の概要】
【考案が解決しようとする課題】
【０００４】
しかしながら、上記従来の座椅子は、上体を後方に反らせることにより、背当て部材と腰当て部材のジョイントに押圧される背中の下の方については高いストレッチ効果が得られるが、押圧するものが何もない背中の上の方については高いストレッチ効果が得られないという問題があった。
【０００５】
本考案は上記事情に鑑みてなされたものであって、その課題とするところは、背中全体において高いストレッチ効果が得られる座椅子を提供することを課題とする。
【課題を解決するための手段】
【０００６】
上記事情を解決するために、本考案に係る座椅子は、ベースフレームと、背もたれフレームを構成する下部フレームおよび上部フレームと、前記ベースフレームと前記下部フレームの下端とを連結する第１ジョイント部と、前記下部フレームの上端と前記上部フレームの下端とを連結する第２ジョイント部と、前記背もたれフレームに対して位置ずれしないように設けられた背面クッションとを備えた座椅子であって、前記第１ジョイント部は、前記ベースフレームに対する前記下部フレームの傾斜角を複数の段階に調整可能とするラチェット機構を有し、前記第２ジョイント部は、前記下部フレームに対する前記上部フレームの傾斜角が実質的に０°となるように付勢するトーションバネを有し、前記背面クッション内に、当該背面クッションを構成するクッション材よりも高い弾性を有する長尺押圧部材が、着座した使用者の背骨に沿うように配置されている。
【考案の効果】
【０００７】
本考案に係る座椅子よれば、高い弾性を有する長尺押圧部材が着座した使用者の背骨に沿うように配置されているので、使用者が上体を後方に反らせた際に、使用者の背骨辺りが長尺押圧部材によって強く押圧され、背中全体において高いストレッチ効果を得ることができる。
【図面の簡単な説明】
【０００８】
【図１】本考案に係る座椅子の斜視図である。
【図２】図１に示す座椅子の内部構造の斜視図である。
【図３】図２に示す状態よりも背もたれフレームの上部フレームが後方に倒れた状態の斜視図である。
【図４】図２に示す状態よりも背もたれフレーム全体が後方に倒れた状態の斜視図である。
【図５】図１に示す座椅子の背もたれ部の横断面図である。
【考案を実施するための形態】
【０００９】
以下、添付図面を参照しながら、本考案に係る座椅子の実施形態について説明する。
【００１０】
図１に、本考案に係る座椅子を示す。同図に示すように、座椅子１は、使用者が座る座部２と、使用者が背中をもたれさせる背もたれ部３とから構成されている。このうち、座部２は、後述するベースフレームと、ベースフレームに対して位置ずれしないように設けられた適当なクッションとからなる。また、背もたれ部３は、後述する背もたれフレームと、背もたれフレームに対して位置ずれしないように設けられた背面クッションと、背面クッション内に設けられた長尺押圧部材とからなる。
【００１１】
図２に、座椅子１の内部構造を示す。上記の通り、座部２に相当する位置には金属パイプで形成したベースフレーム４があり、背もたれ部３に相当する位置には同じく金属パイプで形成した背もたれフレーム５がある。また、背もたれフレーム５は、下部フレーム５ａと上部フレーム５ｂとに分かれており、さらに、ベースフレーム４と下部フレーム５ａの間にはこれらを連結する第１ジョイント部６が設けられ、下部フレーム５ａと上部フレーム５ｂの間にはこれらを連結する第２ジョイント部７が設けられている。
【００１２】
第２ジョイント部７は、下部フレーム５ａに対する上部フレーム５ｂの傾斜角θ２が実質的に０°となるように、すなわち、図２に示す状態となるように、下部フレーム５ａおよび上部フレーム５ｂを常時付勢するトーションバネを有する。使用者が背もたれ部２に背中をもたれさせ、上体を後方に反らせると、トーションバネの付勢力に逆らって上部フレーム５ｂは後方に傾斜する（図３参照）。
【００１３】
トーションバネの付勢力は、使用者が意識的に上体を後方に反らせると上部フレーム５ｂが後方に傾斜するが、軽くもたれかかった程度では上部フレーム５ｂが傾斜しないように設定されている。これにより、使用者の意に反して上部フレーム５ｂが傾斜し、その勢いで使用者が座椅子１ごと転倒してしまうのを防ぐことができる。
【００１４】
第１ジョイント部６は、ベースフレーム４に対する下部フレーム５ａの傾斜角θ１を複数の段階（一例として５段階）に調整可能とするラチェット機構を有する。図２に示す状態よりも背もたれ部３をさらに前傾させると、ラチェット機構によるラッチが解除され、ベースフレーム４に対する背もたれフレーム５（下部フレーム５ａ）の傾斜角θ１は実質的に０°となる（図４参照）。
【００１５】
図５は、背もたれ部３を第２ジョイント部７よりも上方で切断したときの横断面図である。同図に示すように、背もたれ部３には、上部フレーム５ｂに対して位置ずれしないように背面クッション８が設けられている。また、背面クッション８内には、長尺押圧部材９が設けられている。なお、図５においては、背面クッション８の表面を覆う外装布の図示を省略している。
【００１６】
背面クッション８は、クッション性を有する適当な素材（一例としてウレタン）からなる。背面クッション８のクッション材は一種類に限定されず、例えば、表面（使用者に当接する側の面）側については比較的高い弾性を有するクッション材（硬めのクッション材）を用い、裏面側については比較的低い弾性を有するクッション材（柔らかめのクッション材）を用いてもよい。
【００１７】
長尺押圧部材９は、背もたれ部３の幅方向中央に設けられ、かつ背もたれ部３の長さ方向ほぼ全域にわたって延びている。すなわち、長尺押圧部材９は、正しい姿勢で着座した使用者の背骨に沿うように配置されている。
【００１８】
長尺押圧部材９は、背面クッション８のクッション材よりも高い弾性を有する部材（一例としてクッション材よりもさらに弾性が高いウレタン）からなる。また、同図に示すように、長尺押圧部材９は、背もたれ部３の表面の比較的浅い部分に配置されている。このため、着座した使用者は、そこに長尺押圧部材９が存在していることをはっきりと認識することができる。なお、長尺押圧部材９は、硬ければ硬いほどいいというわけではなく、下部フレーム５ａに対する上部フレーム５ｂの傾斜角θ２が変化すると、それに応じて変形する程度の柔軟性をもっていることが必要である。
【００１９】
ストレッチ運動を行うべく、着座した使用者が上体を後方に反らせると、上部フレーム５ｂが後方に傾斜するとともに、長尺押圧部材９によって使用者の背骨近傍が強く押圧され、背中全体において高いストレッチ効果が得られる。
【符号の説明】
【００２０】
１    座椅子
２    座部
３    背もたれ部
４    ベースフレーム
５    背もたれフレーム
５ａ    下部フレーム
５ｂ    上部フレーム
６    第１ジョイント部
７    第２ジョイント部
８    背面クッション
９    長尺押圧部材
【図１】
0003177783.tif 000003
【図２】
0003177783.tif 000004
【図３】
0003177783.tif 000005
【図４】
0003177783.tif 000006
【図５】
0003177783.tif 000007